(57)【特許請求の範囲】
【請求項１】
少なくとも受信信号の復調を行うモデム受信手段と、送信信号の変調を行うモデム送信手段と、前記モデム受信手段の動作を制御する第１のスイッチ手段と、前記モデム送信手段の動作を制御する第２のスイッチ手段と、前記モデム送信手段からの信号出力を制御する第３のスイッチ手段と、電話回線に接続され前記モデム受信手段に受信信号を入力すると共に、前記モデム送信手段からの信号出力を電話回線に送信するよう電話回線のインピーダンス制御を行う回線インターフェース手段と、データ送信時に前記第２及び第３のスイッチ手段をそれぞれオン状態にすると共に、データ受信時には前記第１及び第２のスイッチ手段を動作させ前記モデム受信手段からのデータ解析及び前記送信手段へのデータ出力を行う制御部と、前記各部へ電源を供給する電源部とから構成される端末網制御装置。
【請求項２】
制御部は、第２及び第３のスイッチ手段がオン状態にあるデータ送信状態からデータ受信状態への変化時において、第１のスイッチ手段をオンしてから所定時間後に前記第３スイッチ手段をオフするように制御する請求項１記載の端末網制御装置。
【発明の詳細な説明】
【０００１】
【発明の属する技術分野】
本発明はアナログ電話回線に接続される端末網制御装置に関し、更に詳しくは自動検針等で検針メータとセンター端末間での通信制御に用いるモデム制御に関する。
【０００２】
【従来の技術】
端末網制御装置は通常データ通信を行うためのモデム通信機能やＤＴＭＦ通信機能の他に、モデム電源制御機能、モデム信号入力処理機能などが備えられており、電話回線に接続されたセンター装置との間で発呼通信やノーリンギング通信を行う。
【０００３】
図４に従来のモデム電源制御機能のブロック図を示す。１は回線インタフェース部であり、直流抵抗および交流インピーダンスの整合により電話回線２の接続制御を行う。９は電源部であり、電源を第４のスイッチ手段１１を介してモデム信号の復調を行うモデム受信手段４と、モデム信号を送信するモデム送信手段８に供給する。また、第３のスイッチ手段８はモデム送信手段５から出力されるモデム信号の回線インタフェース部１への入力制御を行う。
【０００４】
更に、制御部１０は前記第３のスイッチ手段８や第４のスイッチ手段１１の制御、モデム受信手段４からの復調データの解析処理、モデム送信手段５へのデータ送出を行う。また、図４に構成されるモデム受信手段４、モデム送信手段５、第３のスイッチ手段８及び第４のスイッチ手段１１はモデムＬＳＩなどに一体化されることが多い。
【０００５】
前記構成において、通信動作の必要のない状態では第４のスイッチ手段１１はオフ状態であり電源部９からの消費は低減されている。一方、データ通信を行う場合には第４のスイッチ手段１１がオン状態となり、モデム受信手段４とモデム送信手段５が動作状態になっている。
【０００６】
図５に第４のスイッチ手段１１とデータ通信状態を表すタイミングチャートを示す。図５−１は第４のスイッチ手段の動作、図５−２は回線インタフェース部１へのデータ送信動作、図５−３は電話回線２上のデータを示している。また、図５は端末網制御装置から電話回線２を介して図示はしないがセンター装置に電文を送信した後、前記センター装置から電文を受信する場合のタイミングを表している。
【０００７】
時間ｔ１に送信を開始する時、図５−１に示すように第４のスイッチ手段１１をオン状態にすると共に、図５−２に示すように第３のスイッチ手段８をオン常態にし回線インタフェース部１を介して電話回線２にデータを送出する。時間ｔ２で第３のスイッチ手段８をオフ状態にしデータ送信を停止させると、前記センター装置からの応答電文を受信するように動作する。応答電文の受信を終了すると時間ｔ３で第４のスイッチ手段１１をオフさせ通信を終了させる。
【０００８】
【発明が解決しようとする課題】
しかしながら上記従来のようにデータの送信状態や受信状態で、常にモデム送信手段４とモデム受信手段５に電源が投入されていると、消費電流が増加するという欠点がある。また、データ通信時の消費電流を削減するためにデータ受信と同時にモデム受信手段４を動作させたのでは、データ受信動作が遅くなるという欠点が発生する。
【０００９】
【課題を解決するための手段】
本発明の端末網制御装置においては、データ受信動作時にはモデム受信手段とモデム送信手段を動作させ、データ送信時にはモデム受信手段を停止させるように構成することによりデータ通信時の消費電流の削減を可能にすることができる。
【００１０】
【発明の実施の形態】
上記の課題を解決するために本発明は、少なくとも受信信号の復調を行うモデム受信手段と、送信信号の変調を行うモデム送信手段と、前記モデム受信手段の動作を制御する第１のスイッチ手段と、前記モデム送信手段の動作を制御する第２のスイッチ手段と、前記モデム送信手段からの信号出力を制御する第３のスイッチ手段と、電話回線に接続され前記モデム受信手段に受信信号を入力すると共に、前記モデム送信手段からの信号出力を電話回線に送信するよう電話回線のインピーダンス制御を行う回線インターフェース手段と、データ送信時に前記第２、第３のスイッチ手段をオン状態にすると共に、データ受信時には前記第１、第２のスイッチ手段を動作させ前記モデム受信手段からのデータ解析、前記送信手段へのデータ出力を行う制御部と、前記各部へ電源を供給する電源部とを備えることにより消費電流を低減させることが可能となる。
【００１１】
また、第２、第３のスイッチ手段がオン状態にあるデータ送信状態からデータ受信状態への変化時において、第１のスイッチ手段をオンしてから所定時間後に第３のスイッチ手段をオフするように制御する制御部を備えることによりデータ受信待機を早めることが可能となる。
【００１２】
【実施例】
（実施例１）
図１において、１は回線インタフェース部であり、直流抵抗および交流インピーダンスの整合により電話回線２の接続制御を行う。９は電源部であり電源を第１のスイッチ手段６を介してモデム信号の復調を行うモデム受信手段４に接続され、第２のスイッチ手段７を介してモデム信号を送信するモデム送信手段８に接続される。また、第３のスイッチ手段８はモデム送信手段５から出力されるモデム信号の回線インタフェース部１への入力制御を行う。
【００１３】
更に、制御部１０Ａは前記第１のスイッチ手段６、第２のスイッチ手段７や第３のスイッチ手段８の制御、モデム受信手段４からの復調データの解析処理、モデム送信手段５へのデータ送出を行う。また、図１に構成されるモデム受信手段４、モデム送信手段５、第１のスイッチ手段６、第２のスイッチ手段７及び第３のスイッチ手段８はモデムＬＳＩ３Ａなどに一体化されている。
【００１４】
図２に本実施例の動作を説明する通信動作のタイミングチャートを示す。図２−１は第１のスイッチ手段６、図２−２は第２のスイッチ手段７、図２−３は第３のスイッチ手段８、更に図２−４は電話回線２上のデータを示している。また、図２は端末網制御装置から電話回線２を介して、図示はしないがセンター装置に電文を送信した後、前記センター装置から電文を受信する場合のタイミングを表している。
【００１５】
時間ｔ１に送信を開始する時、図２−２に示すように第２のスイッチ手段７をオン状態にすると共に、図２−３に示すように第３のスイッチ手段８をオン常態にし、回線インタフェース部１を介して電話回線２にデータを送出する。
【００１６】
時間ｔ２で第３のスイッチ手段８をオフ状態にしデータ送信を停止させると、第１のスイッチ手段６をオン状態にし、前記センター装置からの応答電文を受信するように動作する。応答電文の受信を終了すると時間ｔ３で第１のスイッチ手段６と第２のスイッチ手段７をオフさせ通信を終了させる。
【００１７】
従って、データ送信をしている時間ｔ１からｔ２の間は、モデム受信手段４は動作しないため消費電流を削減することが可能となる。また、データ送信や受信動作時にモデム送信手段５を動作させてるのは、モデム送信手段５に電源を投入する時に発生する過渡的なノイズが電話回線２に送出されるのを防止するためである。
【００１８】
（実施例２）
図３に実施例２の端末網制御装置の動作を説明する通信動作のタイミングチャートを示す。図３−１は第１のスイッチ手段６、図３−２は第２のスイッチ手段７、図３−３は第３のスイッチ手段８、更に図３−４は電話回線２上のデータを示している。また、図３は端末網制御装置から電話回線２を介して、図示はしないがセンター装置に電文を送信した後、前記センター装置から電文を受信する場合のタイミングを表している。
【００１９】
時間ｔ１に送信を開始する時、図３−２に示すように第２のスイッチ手段７をオン状態にすると共に、図３−３に示すように第３のスイッチ手段８をオン状態にし、回線インタフェース部１を介して電話回線２にデータを送出する。
【００２０】
時間ｔ２で第３のスイッチ手段８をオフ状態にしデータ送信を停止させるが、時間ｔ２の時間Ｔ前に第１のスイッチ手段６を動作させモデム受信手段４を動作させ、前記センター装置からの応答電文を受信するように動作する。応答電文の受信を終了すると時間ｔ３で第１のスイッチ手段６と第２のスイッチ手段７をオフさせ通信を終了させる。
【００２１】
従って、データ送信をしている時間ｔ１からｔ２の間はモデム受信手段４は動作しないため消費電流を削減することが可能となる他、時間ｔ２でのデータ送信終了後、センター装置からの応答電文が直ぐに返信された場合、モデム受信手段４が動作状態でなければデータを受信できないが、時間ｔ２以前にモデム受信手段４が既に動作しているため受信の応答が早くなる。
【００２２】
【発明の効果】
このように本発明によれば、データ通信時の消費電流を削減することが可能となるほか、モデム送信手段の動作開始時に発生する過渡的なノイズを低減させることが可能となる。
【００２３】
また、データ送信動作から受信動作に移行する場合に、データ送信動作が終了する前にモデム受信手段を動作させるためデータ受信動作を早めることが可能となる。
【図面の簡単な説明】
【図１】本発明の実施例１における端末網制御装置の要部ブロック図
【図２】同装置の動作を説明するためのタイミングチャート
【図３】本発明の実施例２における端末網制御装置の動作を説明するためのタイミングチャート
【図４】従来の端末網制御装置の要部ブロック図
【図５】同装置の動作を説明するためのタイミングチャート
【符号の説明】
１  回線インタフェース部
２  電話回線
３  モデムＬＳＩ
４  モデム受信手段
５  モデム送信手段
６  第１のスイッチ手段
７  第２のスイッチ手段
８  第３のスイッチ手段
９  電源部
１０Ａ  制御部
【図１】
0003924895.tif 000002
【図２】
0003924895.tif 000003
【図３】
0003924895.tif 000004
【図４】
0003924895.tif 000005
【図５】
0003924895.tif 000006